(57)【要約】【課題】スピーカが取り付けられる音響機器の筺体又はフレーム、あるいはその他の周辺部材、及び振動板に影響を与えることなく、脚部の接続強度と脚部全体の強度が確保され、振動板の背面側の空気抵抗を低減することが可能なスピーカフレームを提供する。【解決手段】スピーカフレーム５０は、磁気回路部が取り付けられる内環状部６０と、内環状部６０よりも大きい径を有し、振動板のエッジが取り付けられる外環状部７０と、内環状部６０と外環状部７０とを連結する複数の脚部８０とを備えている。脚部８０は、内環状部側の端部８１及び外環状部側の端部８２との間に、内環状部側の端部８１及び外環状部側の端部８２よりも幅が狭い幅狭部８３を有し、かつ、幅狭部８３の厚みが内環状部側の端部８１及び外環状部側の端部８２より厚く構成されている。【選択図】図１Ｄ
2012044517.tif 000002
【特許請求の範囲】
【請求項１】
磁気回路部と、当該磁気回路部内のギャップに挿入されたボイスコイルと、当該ボイスコイルを保持するボイスコイルボビンと、当該ボイスコイルボビンに連結された振動板とを備えたスピーカに用いられるスピーカフレームであって、
前記磁気回路部が取り付けられる内環状部と、
前記内環状部よりも大きい径を有し、前記振動板のエッジが取り付けられる外環状部と、
前記内環状部と前記外環状部とを連結する複数の脚部とを備え、
前記脚部は、前記内環状部側の端部及び前記外環状部側の端部との間に、前記内環状部側の端部及び前記外環状部側の端部よりも幅が狭い幅狭部を有し、かつ、当該幅狭部の厚みが前記内環状部側の端部及び前記外環状部側の端部より厚いことを特徴とするスピーカフレーム。
【請求項２】
前記幅狭部は、前記内環状部側から前記外環状部側に向けて、幅が連続的に狭くなった後連続的に広くなり、かつ、前記内環状部側から前記外環状部側に向けて、厚みが連続的に厚くなった後連続的に薄くなる連続形状変化部を有する請求項１に記載のスピーカフレーム。
【請求項３】
前記幅狭部は、前記振動板側に厚みを増した構造、若しくは前記スピーカの背面側に厚みを増した構造である請求項１又は２に記載のスピーカフレーム。
【請求項４】
前記脚部は、前記振動板と対向する振動板対向面と、当該振動板対向面と対向する背面と、前記振動板対向面と前記背面との間に形成された一対の側面とを備えた請求項１〜３のいずれかに記載のスピーカフレーム。
【請求項５】
前記脚部は、前記振動板と面対向する板状部と、当該板状部の両側面に同一方向に突設された一対のリブとを備えた請求項１〜４のいずれかに記載のスピーカフレーム。
【請求項６】
磁気回路部と、当該磁気回路部内のギャップに挿入されたボイスコイルと、当該ボイスコイルを保持するボイスコイルボビンと、当該ボイスコイルボビンに連結された振動板と、スピーカフレームとを備えたスピーカであって、
前記スピーカフレームは、
前記磁気回路部が取り付けられる内環状部と、
前記内環状部よりも大きい径を有し、前記振動板のエッジが取り付けられる外環状部と、
前記内環状部と前記外環状部とを連結する複数の脚部とを備え、
前記脚部は、前記内環状部側の端部及び前記外環状部側の端部との間に、前記内環状部側の端部及び前記外環状部側の端部よりも幅が狭い幅狭部を有し、かつ、当該幅狭部の厚みが前記内環状部側の端部及び前記外環状部側の端部より厚いことを特徴とするスピーカ。
【発明の詳細な説明】
【技術分野】
【０００１】
本発明は、スピーカフレーム及びスピーカに関するものである。
【背景技術】
【０００２】
車載用あるいは家庭用の音響機器等に使用されるスピーカとしては、コーン型の振動板を備えたダイナミック型スピーカが広く用いられている。図４Ａ〜図４Ｄを参照して、かかるタイプの従来のスピーカ構造について説明する。
図４Ａはスピーカの側面図、図４Ｂはスピーカの断面図、図４Ｃはスピーカフレームの前面図、図４Ｄはスピーカフレームの背面図である。
本明細書では、スピーカの音声が放出される側（図４Ａ及び図４Ｂの図示上側）を「前方側」、その反対側（図４Ａ及び図４Ｂの図示下側）を「後方側」と定義する。
【０００３】
図４Ａ及び図４Ｂに示すスピーカ２は、磁気回路部３１０と、磁気回路部３１０内のギャップに挿入されたボイスコイル３２０と、ボイスコイル３２０を保持するボイスコイルボビン３２１と、ボイスコイルボビン３２１に連結されたコーン型の振動板３３０と、これらを保持する椀状のスピーカフレーム３５０とを備えている。
【０００４】
磁気回路部３１０は、環状の永久磁石３１０Ａと、永久磁石３１０Ａ内に一部が嵌め込まれたヨーク３１０Ｂと、永久磁石３１０Ａの前面に配置された環状プレート３１０Ｃとを備えている。
【０００５】
磁気回路部３１０はスピーカフレーム３５０に固着される。これに対して、ボイスコイル３２０及び振動板３３０は振動する必要があるため、ボイスコイル３２０はダンパ３４０を介して、振動板３３０は柔軟な膜からなるエッジ３３０Ｅを介して、それぞれスピーカフレーム３５０に保持されている。
【０００６】
スピーカフレーム３５０は、
環状の底部からなる磁気回路部取付部３６１と、磁気回路部取付部３６１の外周に前方側に突設された側部３６２と、側部３６２の前方側端部から径方向に外側に延びた環状のダンパ取付部３６３とを備えた内環状部３６０と、
内環状部３６０よりも大きい径を有し、振動板３３０のエッジ３３０Ｅが取り付けられる外環状部３７０と、
内環状部３６０と外環状部３７０とを連結する複数の脚部３８０とから構成されている。
【０００７】
スピーカフレーム３５０の外環状部３７０の背面側には、スピーカ２を音響機器の筺体又はフレーム等に固定するための複数の取付け孔３５１が設けられている。
内環状部３６０と外環状部３７０との間には、スピーカ２の端子を取り付けるための端子取付部３５２が設けられている。
図示する例では、７個の脚部３８０と端子取付部３５２とが放射状に均等間隔で設けられており、これら７個の脚部３８０と端子取付部３５２の間に、計８個の開口部３５３が形成されている。
【０００８】
スピーカフレーム３５０としては、金属鋳造法によるダイカストフレーム、あるいはプラスチック射出成型による樹脂フレームなど、内環状部３６０と外環状部３７０と複数の脚部３８０とが一体成型された成型フレームが一般に用いられている。
【０００９】
複数の脚部３８０は、音響機器への取付け接地面側であり、取付け孔３５１が形成された外環状部３７０の背面側を塞がず、スピーカ２が取り付けられる音響機器の筺体又はフレーム、あるいはその他の周辺部材に接触せず、振動板３３０、特にそのエッジ３３０Ｅから充分離間して振動板３３０の振動に影響を与えないため、その厚みには制限がある。
複数の脚部３８０はまた、内環状部３６０及び外環状部３７０との間で充分な接続強度を有し、重い磁気回路部３１０を支えられるに充分な強度を有する必要がある。
【００１０】
厚みに制限がある一方で、内環状部３６０及び外環状部３７０との間の接続強度と、脚部３８０全体の強度を確保するために、従来、成型フレームにおける複数の脚部３８０は、内環状部３６０から外環状部３７０までほぼ均等の厚みを有し、全体的に厚みより幅が大きい板状形状を有している（図４Ｂ、図４Ｄを参照）。複数の脚部３８０は、内環状部３６０側の端部３８１と外環状部３７０側の端部３８２とはその他の部分３８３よりも若干幅広とされ、これら両端部を除く部分３８３の幅がほぼ均等とされ、両端部を除く部分３８３の幅が厚みより大きく設計されている（図４Ｄ参照）。
【００１１】
スピーカフレーム３５０において、「脚部３８０の厚み」は脚部３８０の振動板対向面と脚部の背面との離間距離（＝径方向のサイズ）であり、「脚部３８０の幅」は脚部３８０の振動板対向面と背面との間に形成された一対の側面の離間距離（＝周方向のサイズ）である。
【００１２】
スピーカでは、振動板の前後方向の振動に伴って、スピーカフレームの複数の開口部に振動板の振動方向と同様の方向に空気の出入りが起こる。この空気の移動方向に対して交差する方向（周方向）に厚みより幅の大きい板状の複数の脚部があると、空気抵抗が増え、振動板の背面側の空気のスムーズな移動を妨げる虞がある。このことは、振動板の正確な振幅を妨げ、スピーカ出力の周波数特性を悪化させる虞がある。
【００１３】
特許文献１には、個々の脚部を、全体的にほぼ均等な厚みを有し、厚みより幅が小さい一対の柱状体（６）により構成したスピーカフレーム（１）が記載されている（図１（ａ）〜（ｃ））。かかる構成では、一対の柱状体（６）間に開口部が形成されるので、開口率を向上させることができる。
特許文献１の構成では、個々の柱状体（６）はその幅が厚みより小さいため、脚部の接続強度と脚部全体の強度を確保するために、柱状体（６）が全体的に厚く設計されている。
【００１４】
特許文献２に記載のスピーカフレームでは、振動板と面対向する板状部とその両側面に沿って背面側に突設された補強用リブとを備えた脚部（１ｂ）が用いられている（図２）。
特許文献２に記載のスピーカフレームでは、ダンパ取付け部（１ａｄ）の上面の外周から起立したリブ（１ａｅ）が設けられ、このリブ（１ａｅ）の脚部（１ｂ）が結合される領域（Ｅ４）を他の領域より高くしている（図７）。
特許文献２の段落００５６には、リブ（１ａｅ）と脚部（１ｂ）との結合部分の強度を低下させることなく、比較例より少ない材料でリブ（１ａｅ）を形成することができると記載されている。
【先行技術文献】
【特許文献】
【００１５】
【特許文献１】特開2002-142290号公報
【特許文献２】特開2006-229518号公報
【発明の概要】
【発明が解決しようとする課題】
【００１６】
特許文献１に記載のように、脚部全体を一様に厚くする場合、脚部は従来構造より背面側か振動板側のいずれか又はその両方に厚みを増した構造となる。
脚部全体の厚みを背面側に増した場合には、スピーカが取り付けられる音響機器の筺体又はフレーム、あるいはその他の周辺部材に接触する虞がある。スピーカが取り付けられる音響機器あるいはその他の周辺部材の仕様が決まっている場合には、これらの設計変更はできない。また、スピーカが取り付けられる音響機器あるいはその他の周辺部材の設計変更ができたとしても、コスト高になる、音響機器全体のサイズが大きくなるなどの理由から、好ましくない。
脚部全体の厚みを振動板側に増した場合には、脚部が振動板、特にそのエッジに近接しすぎて、振動板の振動のストロークが制限されるため、大音量が良好に再生できなくなるなど、音質低下を招いてしまう。
【００１７】
特許文献２では、脚部（１ｂ）の幅と厚み（＝補強リブの高さ）は全体的にほぼ均等であり、開口率を上げる工夫はなされておらず、振動板の背面側の空気抵抗を低減するための対策は講じられていない。
【００１８】
本発明は上記事情に鑑みてなされたものであり、スピーカが取り付けられる音響機器の筺体又はフレーム、あるいはその他の周辺部材、及び振動板に影響を与えることなく、脚部の接続強度と脚部全体の強度が確保され、振動板の背面側の空気抵抗を低減することが可能なスピーカフレーム、及びこれを備えたスピーカを提供することを目的とするものである。
【課題を解決するための手段】
【００１９】
本発明のスピーカフレームは、
磁気回路部と、当該磁気回路部内のギャップに挿入されたボイスコイルと、当該ボイスコイルを保持するボイスコイルボビンと、当該ボイスコイルボビンに連結された振動板とを備えたスピーカに用いられるスピーカフレームであって、
前記磁気回路部が取り付けられる内環状部と、
前記内環状部よりも大きい径を有し、前記振動板のエッジが取り付けられる外環状部と、
前記内環状部と前記外環状部とを連結する複数の脚部とを備え、
前記脚部は、前記内環状部側の端部及び前記外環状部側の端部との間に、前記内環状部側の端部及び前記外環状部側の端部よりも幅が狭い幅狭部を有し、かつ、当該幅狭部の厚みが前記内環状部側の端部及び前記外環状部側の端部より厚いことを特徴とするものである。
【００２０】
本明細書において、「脚部の厚み」は径方向のサイズ（図１Ｂにおいて、脚部の背面８０Ｂから振動板対向面８０Ａに向かう背面８０Ｂに対して法線方向のサイズ）であり、「脚部の幅」は周方向のサイズである。
【００２１】
本発明のスピーカフレームにおいて、
前記幅狭部は、前記内環状部側から前記外環状部側に向けて、幅が連続的に狭くなった後連続的に広くなり、かつ、前記内環状部側から前記外環状部側に向けて、厚みが連続的に厚くなった後連続的に薄くなる連続形状変化部を有することが好ましい。
【００２２】
本発明のスピーカフレームにおいて、
前記幅狭部は、前記振動板側に厚みを増した構造、若しくは前記スピーカの背面側に厚みを増した構造とすることができる。
本明細書において、「振動板側に厚みを増した構造、若しくはスピーカの背面側に厚みを増した構造」とは、脚部の振動板対向面と背面とを内環状部との接続部分から外環状部との接続部分まで均等な厚みで面平行に形成した「脚部の全体を均等な厚みとした構造」に対して、振動板側に厚みを増した構造、若しくはスピーカの背面側に厚みを増した構造を意味する。
【００２３】
前記脚部の態様としては、前記振動板と対向する振動板対向面と、当該振動板対向面と対向する背面と、前記振動板対向面と前記背面との間に形成された一対の側面とを備えたものが挙げられる。
【００２４】
前記脚部の他の態様としては、前記振動板と面対向する板状部と、当該板状部の両側面に同一方向に突設された一対のリブとを備えたものが挙げられる。
かかる態様において、「脚部の厚み」はリブ高さである。
【００２５】
本発明のスピーカは、
磁気回路部と、当該磁気回路部内のギャップに挿入されたボイスコイルと、当該ボイスコイルを保持するボイスコイルボビンと、当該ボイスコイルボビンに連結された振動板と、スピーカフレームとを備えたスピーカであって、
前記スピーカフレームは、
前記磁気回路部が取り付けられる内環状部と、
前記内環状部よりも大きい径を有し、前記振動板のエッジが取り付けられる外環状部と、
前記内環状部と前記外環状部とを連結する複数の脚部とを備え、
前記脚部は、前記内環状部側の端部及び前記外環状部側の端部との間に、前記内環状部側の端部及び前記外環状部側の端部よりも幅が狭い幅狭部を有し、かつ、当該幅狭部の厚みが前記内環状部側の端部及び前記外環状部側の端部より厚いことを特徴とするものである。
【発明の効果】
【００２６】
本発明によれば、スピーカが取り付けられる音響機器の筺体又はフレーム、あるいはその他の周辺部材、及び振動板に影響を与えることなく、脚部の接続強度と脚部全体の強度が確保され、振動板の背面側の空気抵抗を低減することが可能なスピーカフレーム、及びこれを備えたスピーカを提供することができる。
【図面の簡単な説明】
【００２７】
【図１Ａ】第１実施形態のスピーカの側面図である。
【図１Ｂ】第１実施形態のスピーカの断面図である。
【図１Ｃ】第１実施形態のスピーカフレームの前面図である。
【図１Ｄ】第１実施形態のスピーカフレームの背面図である。
【図１Ｅ】第１実施形態の設計変更例を示す断面図である。
【図１Ｆ】第１実施形態の設計変更例を示す断面図である。
【図１Ｇ】第１実施形態の設計変更例を示す断面図である。
【図１Ｈ】第１実施形態の設計変更例を示す断面図である。
【図１Ｉ】第１実施形態の設計変更例を示す断面図である。
【図１Ｊ】第１実施形態の設計変更例を示す断面図である。
【図２Ａ】第２実施形態のスピーカフレームの背面側の斜視図である。
【図２Ｂ】図２Ａの部分拡大図である。
【図２Ｃ】第２実施形態のスピーカフレームの背面図である。
【図３Ａ】第３実施形態のスピーカフレームの前面側の斜視図である。
【図３Ｂ】図３Ａの部分拡大図である。
【図３Ｃ】第３実施形態のスピーカフレームの背面図である。
【図４Ａ】従来のスピーカの側面図である。
【図４Ｂ】従来のスピーカの断面図である。
【図４Ｃ】従来のスピーカフレームの前面図である。
【図４Ｄ】従来のスピーカフレームの背面図である。
【発明を実施するための形態】
【００２８】
「第１実施形態」
図面を参照して、本発明に係る第１実施形態のスピーカフレーム及びこれを備えたスピーカの構造について説明する。
本実施形態のスピーカは、車載用あるいは家庭用の音響機器等に使用されるものである。本実施形態のスピーカは、コーン型の振動板を備えたダイナミック型スピーカである。
図１Ａはスピーカ全体の側面図、図１Ｂはスピーカ全体の断面図、図１Ｃはスピーカフレームの前面図、図１Ｄはスピーカフレームの背面図である。
【００２９】
図１Ａ及び図１Ｂに示す本実施形態のスピーカ１は、磁気回路部１０と、磁気回路部１０内のギャップに挿入されたボイスコイル２０と、ボイスコイル２０を保持するボイスコイルボビン２１と、ボイスコイルボビン２１に連結されたコーン型の振動板３０と、これらを保持する椀状のスピーカフレーム５０とを備えている。
【００３０】
磁気回路部１０は、環状の永久磁石１０Ａと、永久磁石１０Ａ内に一部が嵌め込まれたヨーク１０Ｂと、永久磁石１０Ａの前面に配置された環状プレート１０Ｃとを備えている。
【００３１】
磁気回路部１０はスピーカフレーム５０に固着される。これに対して、ボイスコイル２０及び振動板３０は振動する必要があるため、ボイスコイル２０はダンパ４０を介して、振動板３０は柔軟な膜からなるエッジ３０Ｅを介して、それぞれスピーカフレーム５０に保持されている。
【００３２】
ボイスコイル２０はボイスコイルボビン２１に保持されており、ボイスコイル２０が磁気回路部１０のギャップ内に位置するように、ボイスコイルボビン２１はダンパ４０を介してスピーカフレーム５０に保持されている。
ボイスコイルボビン２１の前方側端部は振動板３０の内周部に連結され、振動板３０の外周部はエッジ３０Ｅを介してスピーカフレーム５０に保持されている。
【００３３】
ボイスコイルボビン２１は紙やプラスチック等の筒であり、ボイスコイル２０はそれに巻きつけられた導線である。ボイスコイル２０をなす導線に音声信号が流れると、フレミング左手の法則によってボイスコイルボビン２１が音声信号の波形に応じて前後方向に振動する。ボイスコイルボビン２１には振動板３０が連結されているので、この振動板３０がボイスコイルボビン２１と共に振動することで、音声信号の波形に対応した音が空気中に放射される。
【００３４】
スピーカフレーム５０は、
環状の底部からなる磁気回路部取付部６１と、磁気回路部取付部６１の外周に前方側に突設された側部６２と、側部６２の前方側端部から径方向に外側に延びた環状のダンパ取付部６３とを備えた内環状部６０と、
内環状部６０よりも大きい径を有し、振動板３０のエッジ３０Ｅが取り付けられる外環状部７０と、
内環状部６０と外環状部７０とを連結する複数の脚部８０とから構成されている。
【００３５】
脚部８０は、後方側端部が内環状部６０に接続され、前方側端部が外環状部７０に接続されている。内環状部６０の外周部から斜め前方に向けて、放射状に複数の脚部８０が延びている。
脚部８０は、振動板３０と対向する振動板対向面８０Ａと、振動板対向面８０Ａと対向する背面８０Ｂと、振動板対向面８０Ａと背面８０Ｂとの間に形成された一対の側面８０Ｃとを備えている。
【００３６】
スピーカフレーム５０の外環状部７０の背面側には、スピーカ１を音響機器の筺体又はフレーム等に固定するための複数の取付け孔５１が設けられている。
内環状部６０と外環状部７０との間には、スピーカ１の端子を取り付けるための端子取付部５２が設けられている。
【００３７】
本実施形態では、７個の脚部８０と端子取付部５２とが放射状に均等間隔で設けられており、これら７個の脚部８０と端子取付部５２の間に、計８個の開口部５３が形成されている。
【００３８】
本実施形態のスピーカフレーム５０は、金属鋳造法により内環状部６０と外環状部７０と複数の脚部８０とが一体成型されたアルミニウム合金あるいはマグネシウム合金等からなるダイカストフレーム、あるいは、プラスチック射出成型により内環状部６０と外環状部７０と複数の脚部８０とが一体成型された樹脂フレーム等の成型フレームである。
【００３９】
振動板３０の前後方向の振動に伴って、スピーカフレーム５０の複数の開口部５３には振動板３０の振動方向と同様の方向に空気の出入りが起こる。この空気の出入りがスムーズでないと、振動板３０の正確な振幅が妨げられ、スピーカ出力の周波数特性が悪化する虞がある。
上記の空気の出入りをスムーズにするために、スピーカフレーム５０の開口率（開口部５３の開口面積）をなるべく大きくすることが好ましい。スピーカフレーム５０の開口率が大きい程、空気抵抗が低減され、好ましい。
【００４０】
スピーカフレーム５０の開口率を大きくするには、複数の脚部８０の幅（＝周方向のサイズ）を小さくすればよいが、複数の脚部８０は、内環状部６０及び外環状部７０との間で充分な接続強度を有し、重い磁気回路部１０を支えられるに充分な強度を有する必要がある。
また、複数の脚部８０は、取付け孔５１をふさがず、スピーカ１が取り付けられる音響機器の筺体又はフレーム、あるいはその他の周辺部材に接触せず、振動板３０、特にそのエッジ３０Ｅから充分離間して振動板３０の振動に影響を与えないように設計する必要がある。
本実施形態では、上記要求特性をすべて充足するために、脚部８０を下記のように設計している。
【００４１】
図１Ａ〜図１Ｄに示すように、脚部８０は、内環状部側の端部８１及び外環状部側の端部８２との間に、これら端部よりも幅が狭い幅狭部８３を有している。
図１Ｄ内の拡大図に示すように、内環状部側の端部８１の幅をＷ１、外環状部側の端部８２の幅をＷ２、幅狭部８３の最小幅をＷ３とすると、Ｗ３＜Ｗ１かつＷ３＜Ｗ２である。
脚部８０においては、幅狭部８３の厚みが内環状部側の端部８１及び外環状部側の端部８２より厚く構成されている。
図１Ｂ内の拡大図に示すように、内環状部側の端部８１の厚みをＴ１、外環状部側の端部８２の厚みをＴ２、幅狭部８３の最大厚をＴ３とすると、Ｔ３＞Ｔ１かつＴ３＞Ｔ２である。
本実施形態の図１Ｂと従来構造の図４Ｂとの比較から示されるように、本実施形態では、脚部８０の幅狭部８３は、脚部８０の全体を均等な厚みとした構造よりも振動板３０側に厚みを増した構造になっている。
【００４２】
本実施形態において、「脚部８０の厚み」は脚部８０の振動板対向面８０Ａと脚部８０の背面８０Ｂとの離間距離（＝径方向のサイズ）であり、「脚部８０の幅」は脚部８０の振動板対向面８０Ａと背面８０Ｂとの間に形成された一対の側面８０Ｃの離間距離（＝周方向のサイズ）である。
【００４３】
本実施形態において、幅狭部８３は、内環状部６０側から外環状部側７０に向けて、幅が連続的に狭くなった後連続的に広くなり、かつ、内環状部６０側から外環状部７０側に向けて、厚みが連続的に厚くなった後連続的に薄くなる連続形状変化部である。
【００４４】
図１Ａ及び図１Ｄに示されるように、脚部８０において、内環状部６０との接続部分及び外環状部７０との接続部分の角部については、面取りが施されている。
【００４５】
本実施形態では、内環状部側の端部８１及び外環状部側の端部８２との間に、これら端部よりも幅が狭い幅狭部８３を設け、中央部の幅を最も小さくしている。そして、幅狭部８３の厚みを内環状部側の端部８１及び外環状部側の端部８２より厚くしている。
【００４６】
本実施形態の図１Ｃ、図１Ｄと従来構造の図４Ｃ、図４Ｄとを比較すると明らかなように、脚部８０の中央部とその近傍の幅を狭めたことにより、開口部５３の開口面積が拡大されている。
内環状部６０との接続部分及び外環状部７０との接続部分の幅を狭くした場合には、脚部８０と内環状部６０及び外環状部７０との接続強度が低下するため、好ましくない。また、内環状部６０との接続部分あるいはその近傍部分と外環状部７０との接続部分あるいはその近傍部分の幅だけを狭くしても、開口部５３の開口面積の拡大にはそれ程寄与しない。
本実施形態では、内環状部６０との接続部分及び外環状部７０との接続部分の幅は従来と同様に幅広にして、脚部８０と内環状部６０及び外環状部７０との接続強度を確保している。
【００４７】
また、単に内環状部側の端部８１及び外環状部側の端部８２との間に、これら端部よりも幅が狭い幅狭部８３を設けるだけでは、幅狭部８３の強度が低下する虞がある。本実施形態では、幅狭部８３の厚みを厚くして、幅狭部８３の強度を確保している。
【００４８】
脚部８０全体の厚みを厚くすると、脚部８０が、スピーカ１が取り付けられる音響機器の筺体又はフレーム、あるいはその他の周辺部材に接触したり、振動板３０のエッジ３０Ｅに近接しすぎて振動板３０の振動に影響を与える虞がある。本実施形態では、内環状部側の端部８１及び外環状部側の端部８２の厚みは従来と同様とし、これらの間において部分的にのみ厚みを厚くしているので、上記虞がない。
【００４９】
本実施形態では、脚部８０の幅狭部８３を、脚部８０の全体を均等な厚みとした構造よりも振動板３０側に厚みを増した構造としているので、脚部８０が、スピーカ１が取り付けられる音響機器の筺体又はフレーム、あるいはその他の周辺部材に接触する虞がない。また、内環状部側の端部８１及び外環状部側の端部８２の間であれば、幅狭部８３の厚みを内側に厚くしても、振動板３０との距離も充分に取れるため、振動板３０への影響もない（図１Ｂを参照）。
【００５０】
スピーカ１が取り付けられる音響機器の筺体又はフレーム、あるいはその他の周辺部材への影響がない範囲内であれば、幅狭部８３において、脚部８０の全体を均等な厚みとした構造よりも背面側に厚みを増した構造、あるいは脚部８０の全体を均等な厚みとした構造よりも振動板３０側と背面側の双方に厚みを増した構造としてもよい。
【００５１】
脚部８０の厚み変化例を図１Ｅ〜図１Ｊに示す。
図１Ｅは、幅狭部８３の振動板３０側に凸部ＴＢが設けられて、幅狭部８３が振動板３０側にのみ厚みを増した形状の例である。
図１Ｆは、幅狭部８３の背面側に凸部ＴＢが設けられて、幅狭部８３が背面側にのみ厚みを増した形状の例である。
図１Ｇは、幅狭部８３の振動板３０側と背面側の両方に凸部ＴＢが設けられて、振動板３０側と背面側の両方に厚みを増した形状の例である。
図１Ｈは、幅狭部８３の振動板３０側に凸部ＴＢが設けられ、背面側に浅い（＝凸部ＴＢの高さより小さい深さを有する）凹部ＵＢが設けられて、幅狭部８３が振動板３０側に厚みを増した形状の例である。
図１Ｉは、幅狭部８３の背面側に凸部ＴＢが設けられ、振動板３０側に浅い（＝凸部ＴＢの高さより小さい深さを有する）凹部ＵＢが設けられて、幅狭部８３が振動板３０側に厚みを増した形状の例である。
【００５２】
幅狭部８３において、同じ面側に複数の凸部ＴＢを設けてもよく、同様に同じ面側に複数の凹部ＵＢを設けてもよい。
図１Ｊは、幅狭部８３の振動板３０側と背面側にそれぞれ２個の凸部ＴＢが設けられた厚み変化例である。この例では、振動板３０側の２個の凸部ＴＢと背面側の２個の凸部ＴＢとが互いに対向している。この例では、幅狭部８３が２箇所に設けられている。
ただし、同じ面側に設ける凸部ＴＢは１個であることが好ましく、同様に同じ面側に設ける凹部ＵＢは１個であることが好ましい。
【００５３】
なお、脚部８０は実際には内環状部６０側から外環状部７０側に断面視弧状に形成されているが、図１Ｅ〜図１Ｊでは簡略化して、脚部８０の両端部が同一面上にあるように図示し、厚みの変化のみを視認しやすくしてある。
【００５４】
以上のように、本実施形態では、脚部８０と内環状部６０及び外環状部７０との接続強度、及び脚部８０全体の強度を確保しつつ、開口部５３の開口面積の拡大を図っている。
なるべく幅狭部８３の幅を狭くして開口部５３の開口面積を大きくし、かつ、脚部８０全体の強度を確保でき、スピーカ１が取り付けられる音響機器の筺体又はフレーム、あるいはその他の周辺部材、及び振動板３０への影響がない範囲で、幅狭部８３の厚みをなるべく厚くすることが好ましい。
具体的には、脚部８０は最小幅＜最大厚みであることが好ましい。
【００５５】
以上説明したように、本実施形態によれば、スピーカ１が取り付けられる音響機器の筺体又はフレーム、あるいはその他の周辺部材、及び振動板３０に影響を与えることなく、脚部８０の接続強度と脚部８０全体の強度が確保され、振動板３０の背面側の空気抵抗を低減することが可能なスピーカフレーム５０、及びこれを備えたスピーカ１を提供することができる。
本実施形態のスピーカ１は、振動板３０の背面側の空気抵抗が低減されるので、音質が従来よりも向上されたものとなる。
【００５６】
「第２実施形態」
図面を参照して、本発明に係る第２実施形態のスピーカフレームについて説明する。
図２Ａはスピーカフレームの背面側の全体斜視図、図２Ｂは図２Ａの部分拡大図、図２Ｃはスピーカフレームの背面図である。
第１実施形態と同じ構成要素には同じ参照符号を付して、説明は適宜省略する。
【００５７】
スピーカの全体構造は第１実施形態と同様である。
本実施形態のスピーカフレーム１５０は、第１実施形態と同様、
環状の底部からなる磁気回路部取付部１６１と、磁気回路部取付部１６１の外周に前方側に突設された側部１６２と、側部１６２の前方側端部から径方向に外側に延びた環状のダンパ取付部１６３とを備えた内環状部１６０と、
内環状部１６０よりも大きい径を有し、振動板３０のエッジ３０Ｅが取り付けられる外環状部１７０と、
内環状部１６０と外環状部１７０との間に架設された複数の脚部１８０とから構成されている。
【００５８】
本実施形態においても、脚部１８０は、後方側端部が内環状部１６０に接続され、前方側端部が外環状部１７０に接続されている。内環状部１６０の外周部から斜め前方に向けて、放射状に複数の脚部１８０が延びている。
【００５９】
本実施形態において、脚部１８０は、振動板３０と面対向する板状部１８０Ａと、板状部１８０Ａの両側面に同一方向に突設された一対のリブ１８０Ｂとを備えている。
本実施形態において、板状部１８０Ａが振動板３０側に配され、一対のリブ１８０Ｂが板状部１８０Ａから背面側に突設されている。板状部１８０Ａを背面側に配し、一対のリブ１８０Ｂを、板状部１８０Ａから振動板３０側に突設するようにしてもよい。
【００６０】
本実施形態においても、内環状部１６０と外環状部１７０との間には、スピーカの端子を取り付けるための端子取付部１５２が設けられている。
【００６１】
本実施形態では、４個の脚部１８０が放射状に均等間隔で設けられており、これら４個の脚部１８０の間に、計４個の開口部１５３が形成されている。
【００６２】
本実施形態のスピーカフレーム１５０は、第１実施形態と同様、金属鋳造法により内環状部１６０と外環状部１７０と複数の脚部１８０とが一体成型されたダイカストフレーム、あるいは、プラスチック射出成型により内環状部１６０と外環状部１７０と複数の脚部１８０とが一体成型された樹脂フレーム等の成型フレームである。
【００６３】
脚部１８０を、振動板３０と面対向する板状部１８０Ａと、板状部１８０Ａの両側面に突設された一対のリブ１８０Ｂとから構成することで、スピーカフレーム１５０の成型時の樹脂あるいは金属の流動性を良くして成型性を向上したり、スピーカフレーム１５０の軽量化を図ることができる。
【００６４】
本実施形態のスピーカフレーム１５０を備えたスピーカでは、振動板３０の前後方向の振動に伴って、スピーカフレーム１５０の複数の開口部１５３に空気の出入りが起こる。この空気の出入りがスムーズでないと、振動板３０の正確な振幅が妨げられ、スピーカ出力の周波数特性が悪化する虞がある。
上記の空気の出入りをスムーズにするために、スピーカフレーム１５０の開口率（開口部の開口面積）をなるべく大きくすることが好ましい。スピーカフレーム１５０の開口率が大きい程、空気抵抗が低減され、好ましい。
スピーカフレーム１５０の開口率を大きくするには、複数の脚部１８０の幅（＝周方向のサイズ）を小さくすればよいが、複数の脚部１８０は、内環状部１６０及び外環状部１７０との間で充分な接続強度を有し、重い磁気回路部１０を支えられるに充分な強度を有する必要がある。
また、複数の脚部１８０は、スピーカが取り付けられる音響機器の筺体又はフレーム、あるいはその他の周辺部材に接触せず、振動板３０、特にそのエッジ３０Ｅから充分離間して振動板３０の振動に影響を与えないように設計する必要がある。
本実施形態では、上記要求特性をすべて充足するために、脚部１８０を下記のように設計している。
【００６５】
脚部１８０は、内環状部側の端部１８１及び外環状部側の端部１８２との間に、これら端部よりも幅が狭い幅狭部１８３を有している。
脚部１８０においては、幅狭部１８３のリブ１８０Ｂの高さが内環状部側の端部１８１及び外環状部側の端部１８２より高く構成されている。
本実施形態では、「脚部１８０の厚み」は一対のリブ１８０Ｂの高さであり、「脚部１８０の幅」は一方のリブ１８０Ｂの外面と他方のリブ１８０Ｂの外面との離間距離（＝周方向のサイズ）である。
したがって、本実施形態では、幅狭部１８３の厚みが内環状部側の端部１８１及び外環状部側の端部１８２より厚く構成されている。
【００６６】
本実施形態では、脚部１８０の幅狭部１８３において、一対のリブ１８０Ｂがいずれもリブ全体を均等な厚みとした構造よりも背面側に高さを増した構造となっている。
【００６７】
本実施形態において、幅狭部１８３は、内環状部１６０側から外環状部１７０側に向けて、幅が連続的に狭くなった後連続的に広くなり、かつ、内環状部１６０側から外環状部１７０側に向けて、厚みが連続的に厚くなった後連続的に薄くなる（＝リブ高さが連続的に高くなった後低くなる）連続形状変化部である。
【００６８】
本実施形態では、内環状部側の端部１８１及び外環状部側の端部１８２との間に、これら端部よりも幅が狭い幅狭部１８３を設け、中央部の幅を最も小さくしている。そして、幅狭部１８３の厚みを内環状部側の端部１８１及び外環状部側の端部１８２より厚くしている。
【００６９】
本実施形態の図２Ｃと従来構造の図４Ｄと比較すると明らかなように、脚部１８０の中央部とその近傍の幅を狭めたことにより、開口部１５３の開口面積が拡大されている。
内環状部１６０との接続部分及び外環状部１７０との接続部分の幅を狭くした場合には、脚部１８０と内環状部１６０及び外環状部１７０との接続強度が低下するため、好ましくない。また、内環状部１６０との接続部分あるいはその近傍部分と外環状部１７０との接続部分あるいはその近傍部分の幅だけを狭くしても、開口部１５３の開口面積の拡大にはそれ程寄与しない。
本実施形態では、内環状部１６０との接続部分及び外環状部１７０との接続部分の幅は従来と同様に幅広にして、脚部１８０と内環状部１６０及び外環状部１７０との接続強度を確保している。
【００７０】
また、単に内環状部側の端部１８１及び外環状部側の端部１８２との間に、これら端部よりも幅が狭い幅狭部１８３を設けるだけでは、幅狭部１８３の強度が低下する虞がある。本実施形態では、幅狭部１８３の厚み（＝リブ高さ）を厚くして、幅狭部１８３の強度を確保している。
【００７１】
脚部１８０全体の厚みを厚くすると、脚部１８０が、スピーカが取り付けられる音響機器の筺体又はフレーム、あるいはその他の周辺部材に接触したり、振動板３０のエッジ３０Ｅに近接しすぎて振動板３０の振動に影響を与える虞がある。
本実施形態では、内環状部側の端部１８１及び外環状部側の端部１８２の厚み（＝リブ高さ）は従来と同様とし、これらの間において部分的にのみ厚みを厚くしているので、上記虞がない。
本実施形態においては、一対のリブ１８０Ｂがいずれもリブ全体を均等な厚みとした構造よりも振動板３０側に高さを増した構造としてもよい。
【００７２】
以上のように、本実施形態では、脚部１８０と内環状部１６０及び外環状部１７０との接続強度、及び脚部１８０全体の強度を確保しつつ、開口部１５３の開口面積の拡大を図っている。
【００７３】
なるべく幅狭部１８３の幅を狭くして開口部１５３の開口面積を大きくし、脚部１８０全体の強度を確保でき、スピーカ２が取り付けられる音響機器の筺体又はフレーム、あるいはその他の周辺部材、及び振動板３０への影響がない範囲で、幅狭部１８３の厚みをなるべく厚くすることが好ましい。
具体的には脚部１８０は、最小幅＜最大厚み（＝リブの最大高さ）であることが好ましい。
【００７４】
以上説明したように、本実施形態によっても、スピーカが取り付けられる音響機器の筺体又はフレーム、あるいはその他の周辺部材、及び振動板に影響を与えることなく、脚部１８０の接続強度と脚部１８０全体の強度が確保され、振動板３０の背面側の空気抵抗を低減することが可能なスピーカフレーム１５０を提供することができる。
本実施形態のスピーカフレーム１５０を備えたスピーカは、振動板３０の背面側の空気抵抗が低減されるので、従来よりも音質が向上されたものとなる。
【００７５】
「第３実施形態」
図面を参照して、本発明に係る第３実施形態のスピーカフレームについて説明する。
図３Ａはスピーカフレームの前面側の全体斜視図、図３Ｂは図３Ａの部分拡大図、図３Ｃはスピーカフレームの背面図である。
第１実施形態と同じ構成要素には同じ参照符号を付して、説明は適宜省略する。
【００７６】
スピーカの全体構造は第１実施形態と同様である。
スピーカフレーム２５０は、第１実施形態と同様、
環状の底部からなる磁気回路部取付部２６１と、磁気回路部取付部２６１の外周に前方側に突設された側部２６２と、側部２６２の前方側端部から径方向に外側に延びた環状のダンパ取付部２６３とを備えた内環状部２６０と、
内環状部２６０よりも大きい径を有し、振動板３０のエッジ３０Ｅが取り付けられる外環状部２７０と、
内環状部２６０と外環状部２７０との間に架設された複数の脚部２８０とから構成されている。
【００７７】
本実施形態においても、脚部２８０は、後方側端部が内環状部２６０に接続され、前方側端部が外環状部２７０に接続されている。内環状部２６０の外周から斜め前方に向けて、放射状に複数の脚部２８０が延びている。
【００７８】
本実施形態では、４個の脚部２８０が放射状に均等間隔で設けられており、これら４個の脚部２８０の間に、計４個の開口部２５３が形成されている。
【００７９】
本実施形態のスピーカフレーム２５０は、薄肉の鉄板をプレス加工して製造された鉄板フレームである。
本実施形態のスピーカフレーム２５０は、内環状部２６０と外環状部２７０とを接続する円筒状材に複数の開口部２５３が開口され、複数の開口部２５３が開口されていない部分が脚部２８０とされた形状を有している。
複数の開口部２５３の内周面には、振動板３０側に向けて、「縁立て」と呼ばれるリブ２５３Ａが突設されている。
【００８０】
本実施形態において、脚部２８０は、振動板３０と面対向する板状部２８０Ａと、板状部２８０Ａの両側面に突設された一対のリブ２８０Ｂとを備えている。隣接する２個の開口部２５３の内周面に形成されたリブ２５３Ａの一部が一対のリブ２８０Ｂをなしている。
本実施形態において、板状部２８０Ａが背面側に配され、一対のリブ２８０Ｂが板状部２８０Ａから振動板３０側に突設されている。
【００８１】
本実施形態のスピーカフレーム２５０を備えたスピーカでは、振動板３０の前後方向の振動に伴って、スピーカフレーム２５０の複数の開口部２５３に空気の出入りが起こる。この空気の出入りがスムーズでないと、振動板３０の正確な振幅が妨げられ、スピーカ出力の周波数特性が悪化する虞がある。
上記の空気の出入りをスムーズにするために、スピーカフレーム２５０の開口率（開口部の開口面積）をなるべく大きくすることが好ましい。スピーカフレーム２５０の開口率が大きい程、空気抵抗が低減され、好ましい。
スピーカフレーム２５０の開口率を大きくするには、複数の脚部２８０の幅（＝周方向のサイズ）を小さくすればよいが、複数の脚部２８０は、内環状部２６０及び外環状部２７０との間で充分な接続強度を有し、重い磁気回路部１０を支えられるに充分な強度を有する必要がある。
また、複数の脚部２８０は、スピーカが取り付けられる音響機器の筺体又はフレーム、あるいはその他の周辺部材に接触せず、振動板３０、特にそのエッジ３０Ｅから充分離間して振動板３０の振動に影響を与えないように設計する必要がある。
本実施形態では、上記要求特性をすべて充足するために、脚部２８０を下記のように設計している。
【００８２】
脚部２８０は、内環状部側の端部２８１及び外環状部側の端部２８２との間に、これら端部よりも幅が狭い幅狭部２８３を有している。
脚部２８０においては、幅狭部２８３のリブ２８０Ｂの高さが内環状部側の端部２８１及び外環状部側の端部２８２より高く構成されている。
本実施形態では、「脚部２８０の厚み」は一対のリブ２８０Ｂの高さであり、「脚部２８０の幅」は一方のリブ２８０Ｂの外面と他方のリブ２８０Ｂの外面との離間距離（＝周方向のサイズ）である。
したがって、本実施形態では、幅狭部２８３の厚みが内環状部側の端部２８１及び外環状部側の端部２８２より厚く構成されている。
【００８３】
本実施形態では、脚部２８０の幅狭部２８３は、脚部２８０の全体を均等な厚みとした構造よりも振動板３０側に厚みを増した構造になっている。
【００８４】
本実施形態において、幅狭部２８３は、内環状部２６０側から外環状部側２７０に向けて、幅が連続的に狭くなった後連続的に広くなり、かつ、内環状部２６０側から外環状部７０側に向けて、厚みが連続的に厚くなった後連続的に薄くなる（＝リブ高さが連続的に高くなった後低くなる）連続形状変化部である。
【００８５】
本実施形態では、内環状部側の端部２８１及び外環状部側の端部２８２との間に、これら端部よりも幅が狭い幅狭部２８３を設け、中央部の幅を最も小さくしている。そして、幅狭部２８３の厚みを内環状部側の端部２８１及び外環状部側の端部２８２より厚くしている。
【００８６】
本実施形態の図３Ｃと従来構造の図４Ｄと比較すると明らかなように、脚部２８０の中央部とその近傍の幅を狭めたことにより、開口部２５３の開口面積が拡大されている。
内環状部２６０との接続部分及び外環状部２７０との接続部分の幅を狭くした場合には、脚部２８０と内環状部２６０及び外環状部２７０との接続強度が低下するため、好ましくない。また、内環状部２６０との接続部分あるいはその近傍部分と外環状部２７０との接続部分あるいはその近傍部分の幅だけを狭くしても、開口部２５３の開口面積の拡大にはそれ程寄与しない。
本実施形態では、内環状部２６０との接続部分及び外環状部２７０との接続部分の幅は従来と同様に幅広にして、脚部２８０と内環状部２６０及び外環状部２７０との接続強度を確保している。
【００８７】
また、単に内環状部側の端部２８１及び外環状部側の端部２８２との間に、これら端部よりも幅が狭い幅狭部２８３を設けるだけでは、幅狭部２８３の強度が低下する虞がある。本実施形態では、幅狭部２８３の厚み（＝リブ高さ）を厚くして、幅狭部２８３の強度を確保している。
【００８８】
脚部２８０全体の厚みを厚くすると、脚部２８０が、スピーカが取り付けられる音響機器の筺体又はフレーム、あるいはその他の周辺部材に接触したり、振動板３０のエッジ３０Ｅに近接しすぎて振動板３０の振動に影響を与える虞がある。
本実施形態では、内環状部側の端部２８１及び外環状部側の端部２８２の厚み（＝リブ高さ）は従来と同様とし、これらの間において部分的にのみ厚みを厚くしているので、上記虞がない。
【００８９】
以上のように、本実施形態では、脚部２８０と内環状部２６０及び外環状部２７０との接続強度、及び脚部２８０全体の強度を確保しつつ、開口部２５３の開口面積の拡大を図っている。
なるべく幅狭部２８３の幅を狭くして開口部２５３の開口面積を大きくし、脚部２８０全体の強度を確保でき、スピーカが取り付けられる音響機器の筺体又はフレーム、あるいはその他の周辺部材、及び振動板３０への影響がない範囲で、幅狭部２８３の厚みをなるべく厚くすることが好ましい。
具体的には、脚部２８０は最小幅＜最大厚み（＝リブの最大高さ）であることが好ましい。
【００９０】
以上説明したように、本実施形態によっても、スピーカが取り付けられる音響機器の筺体又はフレーム、あるいはその他の周辺部材、及び振動板３０に影響を与えることなく、脚部２８０の接続強度と脚部２８０全体の強度が確保され、振動板３０の背面側の空気抵抗を低減することが可能なスピーカフレーム２５０を提供することができる。
本実施形態のスピーカフレーム２５０を備えたスピーカは、振動板３０の背面側の空気抵抗が低減されるので、従来よりも音質が向上されたものとなる。
【００９１】
「設計変更」
本発明は上記実施形態に限らず、本発明の趣旨を逸脱しない範囲内において、設計変更可能である。
【符号の説明】
【００９２】
１  スピーカ
１０  磁気回路部
２０  ボイスコイル
２１  ボイスコイルボビン
３０  振動板
３０Ｅ  エッジ
４０  ダンパ
５０、１５０、２５０  スピーカフレーム
６０、１６０、２６０  内環状部
６１、１６１、２６１  磁気回路部取付部
６２、１６２、２６２  側部
６３、１６３、２６３  ダンパ取付部
７０、１７０、２７０  外環状部
８０、１８０、２８０  脚部
８０Ａ    振動板対向面
８０Ｂ    背面
８０Ｃ    側面
１８０Ａ、２８０Ａ  板状部
１８０Ｂ、２８０Ｂ  リブ
８１、１８１、２８１  内環状部側の端部
８２、１８２、２８２  外環状部側の端部
８３、１８３、２８３  幅狭部
【図１Ａ】
2012044517.tif 000003
【図１Ｂ】
2012044517.tif 000004
【図１Ｃ】
2012044517.tif 000005
【図１Ｄ】
2012044517.tif 000006
【図１Ｅ】
2012044517.tif 000007
【図１Ｆ】
2012044517.tif 000008
【図１Ｇ】
2012044517.tif 000009
【図１Ｈ】
2012044517.tif 000010
【図１Ｉ】
2012044517.tif 000011
【図１Ｊ】
2012044517.tif 000012
【図２Ａ】
2012044517.tif 000013
【図２Ｂ】
2012044517.tif 000014
【図２Ｃ】
2012044517.tif 000015
【図３Ａ】
2012044517.tif 000016
【図３Ｂ】
2012044517.tif 000017
【図３Ｃ】
2012044517.tif 000018
【図４Ａ】
2012044517.tif 000019
【図４Ｂ】
2012044517.tif 000020
【図４Ｃ】
2012044517.tif 000021
【図４Ｄ】
2012044517.tif 000022